(57)【要約】      （修正有）【課題】間違った光ファイバが接続又は間違った分散補償値が設定されたＤＣＦ（Ｄｉｓｐｅｒｓｉｏｎ  Ｃｏｍｐｅｎｓａｔｉｏｎ  Ｆｉｌｔｅｒ）を確度高く特定する。【解決手段】伝送装置１０は、第１光信号の第１強度を測定する測定部１１と、第１強度の情報を含んだ第２光信号と第１光信号とを伝送装置３０に送信する送信部１２とを有する。伝送装置３０は、第１光信号が伝送路を伝送している間に伝送路により受けたスペクトルの分散を補償する補償部３１と、補償されたスペクトルの分布幅及び第２強度を測定する測定部３２と、受信した第２光信号に含む第１強度と、測定された分布幅及び第２強度とを用い、第１光信号の分散を補償した補償量と、補償部における第１光信号に対する強度の損失量とを算出する算出部３３と、補償量と損失量とを用い、補償部に異常が発生したかを判定し、異常が発生した場合、異常を特定する判定部３４とを有する。【選択図】図１
2017038158.tif 000002
【特許請求の範囲】
【請求項１】
伝送路を介して第１伝送装置から第２伝送装置にデータを含む第１光信号を伝送する伝送システムにおいて、
前記第１伝送装置は、
前記第２伝送装置に送信する前記第１光信号の第１強度を測定する第１測定部と、
前記第１強度の情報を含んだ第２光信号と前記第１光信号とを前記第２伝送装置に送信する送信部とを備え、
前記第２伝送装置は、
前記第１伝送装置から送信された前記第１光信号が前記伝送路を伝送している間に前記伝送路により受けたスペクトルの分散を補償する補償部と、
前記補償部により補償された第１光信号におけるスペクトルの分布幅および前記補償された第１光信号の第２強度を測定する第２測定部と、
前記第１伝送装置から受信した前記第２光信号に含まれる前記第１強度と、前記第２測定部により測定された前記分布幅および前記第２強度とを用い、前記補償部が前記第１光信号の分散を補償した補償量と、前記補償部における前記第１光信号に対する強度の損失量とを算出する算出部と、
前記算出部により算出された前記補償量と前記損失量とを用い、前記補償部に異常が発生したか否かを判定し、前記補償部に異常が発生したと判定した場合、発生した前記異常の原因を特定する判定部とを備える
ことを特徴とする伝送システム。
【請求項２】
請求項１に記載の伝送システムにおいて、
前記第２伝送装置は、前記第１光信号を前記伝送路に伝送することで前記第１光信号が受ける前記スペクトルの分散を示す分散情報と、前記第１光信号を前記伝送路に伝送することで前記第１光信号が受ける強度の減衰量とを記憶する記憶部を備え、
前記算出部は、前記分散情報と前記分布幅とを用いて前記補償量を算出し、前記第１強度、前記第２強度および前記減衰量を用いて前記損失量を算出し、
前記判定部は、算出された前記補償量および前記損失量と、前記補償部に設定された設定値とを比較し、前記補償部に異常が発生したか否かを判定して発生した前記異常の原因を特定する
ことを特徴とする伝送システム。
【請求項３】
伝送路を介して第１伝送装置から第２伝送装置にデータを含む第１光信号を伝送する伝送システムの異常判定方法において、
前記第１伝送装置が、
前記第２伝送装置に送信する前記第１光信号の第１強度を測定し、
前記第１強度の情報を含んだ第２光信号と前記第１光信号とを前記第２伝送装置に送信し、
前記第２伝送装置が、
前記第１伝送装置から送信された前記第１光信号が前記伝送路を伝送している間に前記伝送路により受けたスペクトルの分散を、前記第２伝送装置が有する補償部を用いて補償し、
補償した第１光信号におけるスペクトルの分布幅および前記補償した第１光信号の第２強度を測定し、
前記第１伝送装置から受信した前記第２光信号に含まれる前記第１強度と、測定した前記分布幅および前記第２強度とを用い、前記補償部が前記第１光信号の分散を補償した補償量と、前記補償部における前記第１光信号に対する強度の損失量とを算出し、
算出した前記補償量と前記損失量とを用い、前記補償部に異常が発生したか否かを判定し、前記補償部に異常が発生したと判定した場合、発生した前記異常の原因を特定する
ことを特徴とする伝送システムの異常判定方法。
【発明の詳細な説明】
【技術分野】
【０００１】
本発明は、伝送システムおよび伝送システムの異常判定方法に関する。
【背景技術】
【０００２】
例えば、複数の伝送装置を光ファイバ等で接続した伝送システムには、互いに異なる複数の波長の光信号を多重化したＷＤＭ（波長分割多重：Wavelength Division Multiplex）信号等を用いて、データを伝送するものがある。
【０００３】
この種の伝送システムでは、複数の波長の光信号が多重化されたＷＤＭ信号は、光ファイバを伝送している間に、スペクトルの分布が周波数の方向に広がる、いわゆる分散を受ける。そこで、伝送システムの各伝送装置は、受信したＷＤＭ信号に対して伝送中に受けた分散を補償するＤＣＦ（Dispersion Compensation Fiber）モジュール等を有する。
【０００４】
しかしながら、ＤＣＦモジュール等に含まれるコネクタに光ファイバが正しく挿入されていない場合、コネクタから光ファイバが抜けてしまうことがある。この場合、伝送装置は、光ファイバで異常が発生したためにＷＤＭ信号を受信しないのか、光ファイバがＤＣＦから抜けたためにＷＤＭ信号を受信しないのかを判別することが困難なことがある。
【０００５】
そこで、ＤＣＦ等の装置における入力側と出力側の両端で、ＷＤＭ信号の強度を測定することで、光ファイバに異常が発生したかＤＣＦ等の装置のコネクタから光ファイバが抜けたかを特定する技術が提案されている（例えば、特許文献１参照）。
【先行技術文献】
【特許文献】
【０００６】
【特許文献１】国際公開第２００８／０５０３８６号
【発明の概要】
【発明が解決しようとする課題】
【０００７】
伝送装置は、複数の伝送装置の各々からＷＤＭ信号を受信する場合、送信元の伝送装置ごとにＤＣＦモジュールが設置される。そして、各ＤＣＦモジュールは、接続される光ファイバの距離等に応じて設定された分散の補償値を用い、受信したＷＤＭ信号の分散を補償する。伝送装置に接続される複数の光ファイバは、伝送装置が配置された建物内を互いに交差して配線されることがある。このため、ＤＣＦモジュールのなかには、間違った光ファイバと接続されることがある。この場合、ＤＣＦモジュールは、設定された補償値（すなわち、ＷＤＭ信号にとって間違った補償値）で受信したＷＤＭ信号の分散を補償する。しかしながら、補償されたＷＤＭ信号の分散値がＤＣＦモジュールにおける分散の耐力の範囲内にある場合、間違った光ファイバが接続されたＤＣＦモジュールを伝送装置が検知することは困難である。
【０００８】
また、ＤＣＦモジュールに間違った補償値が設定された場合も、補償されたＷＤＭ信号の分散値がＤＣＦモジュールの分散の耐力の範囲内であれば、間違った補償値が設定されたＤＣＦモジュールを伝送装置が検知することは困難である。
【０００９】
一つの側面では、本件開示の伝送システムおよび伝送システムの異常判定方法は、間違った光ファイバが接続されたＤＣＦモジュールまたは間違った分散補償値が設定されたＤＣＦモジュールを従来と比べて確度高く特定することを目的とする。
【課題を解決するための手段】
【００１０】
一つの観点の伝送システムは、伝送路を介して第１伝送装置から第２伝送装置にデータを含む第１光信号を伝送する伝送システムにおいて、第１伝送装置は、第２伝送装置に送信する第１光信号の第１強度を測定する第１測定部と、第１強度の情報を含んだ第２光信号と第１光信号とを第２伝送装置に送信する送信部とを備え、第２伝送装置は、第１伝送装置から送信された第１光信号が伝送路を伝送している間に伝送路により受けたスペクトルの分散を補償する補償部と、補償部により補償された第１光信号におけるスペクトルの分布幅および補償された第１光信号の第２強度を測定する第２測定部と、第１伝送装置から受信した第２光信号に含まれる第１強度と、第２測定部により測定された分布幅および第２強度とを用い、補償部が第１光信号の分散を補償した補償量と、補償部における第１光信号に対する強度の損失量とを算出する算出部と、算出部により算出された補償量と損失量とを用い、補償部に異常が発生したか否かを判定し、補償部に異常が発生したと判定した場合、発生した異常の原因を特定する判定部とを有する。
【００１１】
一つの観点の伝送システムの異常判定方法は、伝送路を介して第１伝送装置から第２伝送装置にデータを含む第１光信号を伝送する伝送システムの異常判定方法において、第１伝送装置が、第２伝送装置に送信する第１光信号の第１強度を測定し、第１強度の情報を含んだ第２光信号と第１光信号とを第２伝送装置に送信し、第２伝送装置が、第１伝送装置から送信された第１光信号が伝送路を伝送している間に伝送路により受けたスペクトルの分散を、第２伝送装置が有する補償部を用いて補償し、補償した第１光信号におけるスペクトルの分布幅および補償した第１光信号の第２強度を測定し、第１伝送装置から受信した第２光信号に含まれる第１強度と、測定した分布幅および第２強度とを用い、補償部が第１光信号の分散を補償した補償量と、補償部における第１光信号に対する強度の損失量とを算出し、算出した補償量と損失量とを用い、補償部に異常が発生したか否かを判定し、補償部に異常が発生したと判定した場合、発生した異常の原因を特定する。
【発明の効果】
【００１２】
本件開示の伝送システムおよび伝送システムの異常判定方法は、間違った光ファイバが接続されたＤＣＦモジュールまたは間違った分散補償値が設定されたＤＣＦモジュールを従来と比べて確度高く特定できる。
【図面の簡単な説明】
【００１３】
【図１】伝送システムおよび伝送システムの異常判定方法の一実施形態を示す図である。
【図２】伝送システムおよび伝送システムの異常判定方法の別の実施形態を示す図である。
【図３】図２に示した伝送装置の一例を示す図である。
【図４】図３に示した異常テーブルの一例を示す図である。
【図５】図２に示した伝送システムにおける異常判定処理の一例を示す図である。
【発明を実施するための形態】
【００１４】
以下、図面を用いて実施形態について説明する。
【００１５】
図１は、伝送システムおよび伝送システムの異常判定方法の一実施形態を示す。
【００１６】
図１に示した伝送システム１００は、２つの伝送装置１０、３０および伝送装置１０、３０間を接続する光ファイバ等の伝送路２０を有する。
【００１７】
伝送装置１０は、データを含む光信号を伝送するノード装置等であり、測定部１１および送信部１２を有する。
【００１８】
測定部１１は、送信部１２が伝送装置３０にデータを含んだＷＤＭ信号を送信する際のＷＤＭ信号の強度を測定する。なお、測定部１１は、ＷＤＭ信号を送信する際のＷＤＭ信号におけるスペクトルの半値幅等を示す分布幅を測定してもよい。
【００１９】
送信部１２は、伝送装置１０に接続されたネットワークあるいはコンピュータ装置等から受信したデータを含んだ複数の波長の光信号を多重化してＷＤＭ信号を生成し、生成したＷＤＭ信号を伝送路２０を介して伝送装置３０に送信する。また、送信部１２は、測定部１１により測定されたＷＤＭ信号の強度を含む伝送装置１０の動作状態を示す情報をＯＳＣ（Optical Supervisory Channel）信号として、伝送路２０を介して伝送装置３０に送信する。
【００２０】
伝送装置３０は、データを含む光信号を伝送するノード装置等であり、補償部３１、測定部３２、算出部３３および判定部３４を有する。
【００２１】
補償部３１は、ＤＣＦ（Dispersion Compensation Fiber）モジュール等を含み、伝送装置３０が受信したＷＤＭ信号に対して、伝送路２０を伝送している間に受けたスペクトルの分布が周波数軸の方向に広がった分散を、設定された補償値を用いて補償する。なお、補償部３１は、ＯＳＣ信号に対しても分散を補償してもよい。そして、補償部３１は、補償したＷＤＭ信号を伝送装置３０に接続されたネットワークあるいはコンピュータ装置等に出力する。
【００２２】
測定部３２は、スペクトルアナライザ等の機能を有し、補償部３１により分散が補償されたＷＤＭ信号のスペクトルの半値幅等を示す分布幅、および補償部３１から出力された時のＷＤＭ信号の強度を測定する。
【００２３】
算出部３３は、受信したＯＳＣ信号に含まれる送信時のＷＤＭ信号の強度と、分散が補償されたＷＤＭ信号の分布幅および強度とを用い、補償部３１がＷＤＭ信号に対して補償した分散の補償量と、補償部３１におけるＷＤＭ信号の強度に対する損失量とを算出する。算出部３３は、例えば、伝送路２０が有する分散の特性を示す分散情報を用いて、伝送装置３０がＷＤＭ信号を受信した時のＷＤＭ信号におけるスペクトルの分布幅を算出する。算出部３３は、算出した受信時のＷＤＭ信号の分布幅と測定部３２により測定された分散が補償されたＷＤＭ信号の分布幅との差分から、補償部３１により補償された分散の補償量を算出する。
【００２４】
また、算出部３３は、例えば、送信時のＷＤＭ信号の強度と補償部３１から出力された時のＷＤＭ信号の強度との差分を算出する。なお、算出された強度の差分は、伝送路２０によるＷＤＭ信号の強度に対する減衰を示す減衰量と、補償部３１におけるＷＤＭ信号の強度に対する損失量とを含む。そこで、算出部３３は、例えば、伝送路２０によるＷＤＭ信号に対する強度の減衰量を、伝送装置３０に接続されたコンピュータ装置に含まれるキーボード等の入力装置を介して予め取得する。算出部３３は、算出した強度の差分から取得した伝送路２０によるＷＤＭ信号の強度の減衰量を減算する。そして、算出部３３は、補償部３１におけるＷＤＭ信号の強度の損失量を算出する。
【００２５】
判定部３４は、算出部３３により算出された補償量と損失量とを用い、補償部３１に異常が発生したか否かを判定する。判定部３４は、補償部３１に異常が発生したと判定した場合、算出部３３により算出された補償量と損失量とを用い、補償部３１に発生した異常の原因を特定する。例えば、判定部３４は、補償部３１の製造時に設定された分散の補償値（以下、分散補償値とも称される）と算出された補償量とを比較し差分（すなわち、設定値と測定した値との違い）を求める。また、判定部３４は、補償部３１の設計時において許容されるＷＤＭ信号の強度の減衰を示す許容量と算出された損失量とを比較し、補償部３１の許容量と算出された損失量との差分を求める。そして、判定部３４は、求めた分散補償値と補償量との差分および補償部３１の許容量と算出された損失量との差分の少なくとも一方が所定の閾値より大きい（すなわち、測定値が設定値より大きく外れた）場合、補償部３１に異常が発生したと判定する。なお、分散補償値と補償量との差分と比較する所定の閾値と、許容量と損失量との差分と比較する所定の閾値とは、互いに同じ値ででもよく、異なる値でもよい。
【００２６】
判定部３４は、例えば、分散補償値と算出された補償量との差分が所定の閾値より大きく、かつ補償部３１の許容量と算出された損失量との差分が所定の閾値以下の場合、発生した異常を補償部３１に間違った伝送路２０が接続されたためと異常の原因を特定する。また、判定部３４は、分散補償値と算出された補償量との差分が所定の閾値より大きく、かつ補償部３１の許容量と算出された損失量との差分が所定の閾値以下の場合、発生した異常を補償部３１に設定された分散補償値が間違っているためと異常の原因を特定する。
【００２７】
また、判定部３４は、分散補償値と算出された補償量との差分が所定の閾値以下、かつ補償部３１の許容量と算出された損失量との差分が所定の閾値より大きい場合、発生した異常を補償部３１のコネクタに接続された伝送路２０が抜けた等の接続異常と特定する。また、判定部３４は、分散補償値と算出された補償量との差分、および補償部３１の許容量と算出された損失量と差分が所定の閾値より大きい場合、発生した異常を補償部３１が故障したためと異常の原因を特定する。
【００２８】
なお、算出部３３および判定部３４は、伝送装置１０に配置されてもよい。この場合、測定部３２は、分散が補償されたＷＤＭ信号の分布幅および強度の測定した値を、ＯＳＣ信号を用いて伝送装置１０に送信する。
【００２９】
以上、図１に示した実施形態では、算出部３３は、伝送装置１０での送信時のＷＤＭ信号の強度と、測定部３２が測定したＷＤＭ信号のスペクトルの分布幅および強度とを用い、補償部３１におけるＷＤＭ信号に対する補償量と損失量とを算出する。判定部３４は、補償部３１の分散補償値と算出された補償量、および補償部３１の許容量と算出された損失量とを比較することで、補償部３１に異常が発生したか否かを判定でき、補償部３１に発生した異常の原因を特定できる。すなわち、伝送システム１００は、間違った伝送路２０が接続された補償部３１、または間違った分散補償値が設定された補償部３１を従来と比べて確度高く特定できる。
【００３０】
図２は、伝送システムおよび伝送システムの異常判定方法の別の実施形態を示す。図２に示した伝送システム１００Ａは、例えば、３つの伝送装置１１０（１１０（１）−１１０（３））を有する。伝送装置１１０は、光ファイバ等の伝送路２００（２００ａ、２００ｂ、２００ｃ、２００ｄ、２００ｅ、２００ｆ）を介して、対向する伝送装置１１０との間でデータを含むＷＤＭ信号を伝送する。
【００３１】
図３は、図２に示した伝送装置１１０（１）の一例を示す。なお、伝送装置１１０（２）、１１０（３）は、伝送装置１１０（１）と同一あるいは同様の要素を有する。
【００３２】
図３に示した伝送装置１１０（１）は、ＩＦ（Interface）部１１５、ユニット部１２０ａ、１２０ｂ、測定部１３０、制御部１４０および記憶部１５０を有する。
【００３３】
ＩＦ部１１５は、インタフェースであり、伝送装置１１０（１）に接続されたネットワークあるいはコンピュータ装置等からデータを含んだ光信号を受信し、受信した光信号を送信先の伝送装置１１０に応じてユニット部１２０ａ、１２０ｂに出力する。また、ＩＦ部１１５は、ユニット部１２０ａ、１２０ｂの各々から光信号を受信し、受信した光信号を伝送装置１１０（１）に接続されたネットワークあるいはコンピュータ装置等に送信する。なお、ＩＦ部１１５は、例えば、コンピュータ装置等から受信したデータを含む信号を光信号に変換してユニット部１２０ａ、１２０ｂに出力する変換部を有する。また、変換部は、ユニット部１２０ａ、１２０ｂから受信した光信号を電気信号に変換してコンピュータ装置等に出力する。また、ＩＦ部１１５は、２つのユニット部１２０ａ、１２０ｂが接続されたが、１または３以上のユニット部が接続されてもよい。
【００３４】
ユニット部１２０ａ、１２０ｂは、伝送装置１１０（１）に接続されたネットワークあるいはコンピュータ装置等から受信したデータを含む複数の波長の光信号のうち、伝送装置１１０（２）、１１０（３）宛の光信号ごとに多重化しＷＤＭ信号を生成する。ユニット部１２０ａ、１２０ｂは、伝送路２００ａ、２００ｆを介して生成したＷＤＭ信号を伝送装置１１０（２）、１２０ｂにそれぞれ送信する。また、ユニット部１２０ａ、１２０ｂは、伝送路２００ｂ、２００ｅを介して伝送装置１１０（２）、１１０（３）の各々からＷＤＭ信号を受信し、受信したＷＤＭ信号を複数の波長の光信号に分離する。ユニット部１２０ａ、１２０ｂは、分離した光信号を伝送装置１１０（１）に接続されたネットワークあるいはコンピュータ装置等に送信する。
【００３５】
図３に示すように、ユニット部１２０ａは、ＭＵＸ（Multiplexer）１２１、ＤＣＦユニット１２２、ＤＥＭＵＸ（Demultiplexer）１２３および増幅部ＡＭＰ１、ＡＭＰ２を有する。なお、ユニット部１２０ｂについても、ユニット部１２０ａと同一あるいは同様の要素を有する。
【００３６】
ＭＵＸ１２１は、ＩＦ部１１５を介してネットワークあるいはコンピュータ装置等から受信した複数の波長の光信号を波長分割多重に基づいて多重化し、ＷＤＭ信号を生成する。ＭＵＸ１２１は、生成したＷＤＭ信号を増幅部ＡＭＰ１に出力する。
【００３７】
増幅部ＡＭＰ１は、ＭＵＸ１２１から受信したＷＤＭ信号を増幅し、伝送路２００ａおよび測定部１３０に出力する。
【００３８】
ＤＣＦユニット１２２は、伝送路２００ｂを介して伝送装置１１０（２）から送信されたＷＤＭ信号を受信する。ＤＣＦユニット１２２は、受信したＷＤＭ信号が伝送路２００ｂを伝送している間に受けたスペクトルの分布が周波数軸の方向に広がった分散を、設定された分散補償値を用いて補償する。ＤＣＦユニット１２２は、補償したＷＤＭ信号を増幅部ＡＭＰ２および測定部１３０に出力する。
【００３９】
増幅部ＡＭＰ２は、ＤＣＦユニット１２２により補償されたＷＤＭ信号を増幅し、ＤＥＭＵＸ１２３に出力する。
【００４０】
ＤＥＭＵＸ１２３は、増幅部ＡＭＰ２から受信したＷＤＭ信号を複数の波長の光信号それぞれに分離する。ＤＥＭＵＸ１２３は、分離した各波長の光信号をＩＦ部１１５に出力する。
【００４１】
測定部１３０は、例えば、スペクトルアナライザ等であり、ユニット部１２０ａ、１２０ｂの各々のＤＣＦユニット１２２により分散が補償されたＷＤＭ信号におけるスペクトルの半値幅等を示す分布幅を測定する。また、測定部１３０は、ＤＣＦユニット１２２から出力された時のＷＤＭ信号の強度を測定する。さらに、測定部１３０は、ユニット部１２０ａ、１２０ｂの各々の増幅部ＡＭＰ１から出力される送信時のＷＤＭ信号の強度も測定する。そして、測定した結果を制御部１４０に出力する。
【００４２】
制御部１４０は、プログラムを実行するプロセッサを含み、プロセッサがメモリ等の記憶部１５０に記憶されるプログラムを実行することで、伝送装置１１０（１）の各部の動作を統括的に制御する。また、制御部１４０は、プログラムを実行することで、算出部１４１および判定部１４２として機能する。
【００４３】
また、制御部１４０は、例えば、測定部１３０により測定されたユニット部１２０ａの増幅部ＡＭＰ１から出力される送信時のＷＤＭ信号の強度を含むＯＳＣ信号を、伝送路２００ａを介して伝送装置１１０（２）に送信する。また、制御部１４０は、測定部１３０により測定されたユニット部１２０ｂの増幅部ＡＭＰ１から出力される送信時のＷＤＭ信号の強度を含むＯＳＣ信号を、伝送路２００ｆを介して伝送装置１１０（３）に送信する。
【００４４】
また、制御部１４０は、例えば、伝送装置１１０（２）のユニット部１２０ａまたはユニット部１２０ｂの増幅部ＡＭＰ１から伝送装置１１０（１）に出力される送信時のＷＤＭ信号の強度を含むＯＳＣ信号を、伝送路２００ｂを介して受信する。また、制御部１４０は、例えば、伝送装置１１０（３）のユニット部１２０ａまたはユニット部１２０ｂの増幅部ＡＭＰ１から伝送装置１１０（１）に出力される送信時のＷＤＭ信号の強度を含むＯＳＣ信号を、伝送路２００ｅを介して受信する。
【００４５】
算出部１４１は、受信したＯＳＣ信号に含まれる送信時のＷＤＭ信号の強度と、分散が補償されたＷＤＭ信号の測定された分布幅および強度とを用い、各ユニット部１２０ａ、１２０ｂのＤＣＦユニット１２２における分散の補償量と強度の損失量とを算出する。例えば、算出部１４１は、記憶部１５０に記憶された各伝送路２００ｂ、２００ｅにおける分散の特性を示す分散情報を用いて、各ユニット部１２０ａ、１２０ｂのＤＣＦユニット１２２に入力される直前のＷＤＭ信号のスペクトルの分布幅を算出する。算出部１４１は、算出したＷＤＭ信号の分布幅と測定部１３０により測定された分散が補償されたＷＤＭ信号の分布幅との差分から、各ユニット部１２０ａ、１２０ｂのＤＣＦユニット１２２における分散の補償量を算出する。
【００４６】
また、算出部１４１は、例えば、測定部１３０が測定した各ユニット部１２０ａ、１２０ｂにおける分散が補償されたＷＤＭ信号の強度と、受信したＯＳＣ信号に含まれる各伝送装置１１０（２）、１１０（３）での送信時のＷＤＭ信号の強度との差分を算出する。なお、算出した強度の差分は、各伝送路２００ｂ、２００ｅによるＷＤＭ信号の強度に対する減衰を示す減衰量と各ユニット部１２０ａ、１２０ｂのＤＣＦユニット１２２における強度の損失量とを含む。そこで、算出部１４１は、例えば、記憶部１５０に記憶された各伝送路２００ｂ、２００ｅによるＷＤＭ信号に対する強度の減衰量を読み出す。算出部１４１は、算出した各ユニット部１２０ａ、１２０ｂにおける強度の差分から読み出した各伝送路２００ｂ、２００ｅの減衰量を減算し、各ユニット部１２０ａ、１２０ｂのＤＣＦユニット１２２における強度の損失量を算出する。
【００４７】
判定部１４２は、算出部１４１により算出された各ユニット部１２０ａ、１２０ｂのＤＣＦユニット１２２における補償量と損失量とを用い、各ユニット部１２０ａ、１２０ｂのＤＣＦユニット１２２に異常が発生したか否かを判定する。そして、判定部１４２は、ＤＣＦユニット１２２に異常が発生したと判定した場合、算出部１４１により算出された各ユニット部１２０ａ、１２０ｂのＤＣＦユニット１２２における補償量と損失量とを用い、ＤＣＦユニット１２２に発生した異常の原因を特定する。判定部１４２の動作については、図４で説明する。
【００４８】
記憶部１５０は、フラッシュメモリ等の記憶装置を含み、制御部１４０が実行するプログラム、および各伝送路２００の分散情報および減衰量を含むデータを記憶する。また、記憶部１５０は、判定部１４２が各ユニット部１２０ａ、１２０ｂのＤＣＦユニット１２２の異常を特定するための異常テーブル１５１を記憶する。
【００４９】
図４は、図３に示した異常テーブル１５１の一例を示す。異常テーブル１５１は、異常原因を示す情報、分散補償値を示す情報および許容量を示す情報の領域を有する。
【００５０】
異常原因の領域には、ＤＣＦユニット１２２に発生した異常が“ＤＣＦ誤接続”、“コネクタ接続異常”あるいは“ＤＣＦ異常”を示す情報が格納される。ＤＣＦ誤接続とは、ＤＣＦユニット１２２に含まれるコネクタに接続される伝送路２００が間違っていた（すなわち、伝送元の伝送装置１１０が間違っていた）場合を示す。コネクタ接続異常とは、ＤＣＦユニット１２２のコネクタと伝送路２００とが外れている場合を示す。ＤＣＦ異常とは、ＤＣＦユニット１２２が故障している場合を示す。
【００５１】
分散補償値の領域には、異常原因の領域に格納された異常に応じて、算出部１４１により算出された補償量と各ユニット部１２０ａ、１２０ｂのＤＣＦユニット１２２の製造時に設定された分散補償値との関係を示す情報が格納される。例えば、発生した異常の原因がＤＣＦ誤接続あるいはＤＣＦ異常の場合、算出部１４１により算出された補償量と分散補償値との差分の絶対値が閾値αより大きい（すなわち、補償量が分散補償値に対して閾値αを超えて外れている）とする条件が格納される。また、発生した異常の原因がコネクタ接続異常の場合、算出部１４１により算出された補償量と分散補償値との差分の絶対値が閾値α以下（すなわち、補償量が分散補償値に対して閾値αの範囲内にある）とする条件が格納される。
【００５２】
許容量の領域には、異常原因の領域に格納された異常に応じて、算出部１４１により算出された強度の損失量と各ユニット部１２０ａ、１２０ｂのＤＣＦユニット１２２において許容されるＷＤＭ信号の強度の減衰を示す許容量との関係を示す情報が格納される。例えば、発生した異常の原因がＤＣＦ誤接続の場合、算出部１４１により算出された損失量と許容量との差分の絶対値が閾値β以下（すなわち、損失量が許容量に対して閾値βの範囲内にある）とする条件が格納される。発生した異常の原因がコネクタ接続異常あるいはＤＣＦ異常の場合、算出部１４１により算出された損失量と許容量との差分の絶対値が閾値βより大きい（すなわち、損失量が許容量に対して閾値βを超えて外れている）とする条件が格納される。
【００５３】
例えば、判定部１４２は、ユニット部１２０ａ、１２０ｂのＤＣＦユニット１２２において、設定された分散補償値と算出部１４１により算出された補償量との差分、および許容量と算出部１４１により算出された損失量との差分を算出する。判定部１４２は、算出した補償量と分散補償値との差分の絶対値が閾値αより大きい、あるいは算出した損失量と許容量との差分の絶対値が閾値βより大きい場合、ＤＣＦユニット１２２に異常が発生したと判定する。
【００５４】
なお、閾値α、βは、伝送システム１００Ａに要求される異常の検出精度に応じて設定されるのが好ましく、例えば、分散補償値および許容量の１０パーセント等の値に設定される。
【００５５】
そして、判定部１４２は、算出した補償量と分散補償値との差分の絶対値が閾値αより大きく、かつ算出した損失量と許容量との差分の絶対値が閾値β以下の場合、ＤＣＦユニット１２２に発生した異常の原因をＤＣＦ誤接続と特定する。すなわち、判定部１４２は、例えば、ユニット部１２０ａ、１２０ｂのＤＣＦユニット１２２のコネクタに接続された伝送路２００が互いに間違っていると特定する。
【００５６】
また、判定部１４２は、算出した補償量と分散補償値との差分の絶対値が閾値α以下、かつ算出した損失量と許容量との差分の絶対値が閾値βより大きい場合、ＤＣＦユニット１２２に発生した異常の原因をコネクタ接続異常と特定する。また、判定部１４２は、算出した補償量と分散補償値との差分の絶対値が閾値αより大きく、かつ算出した損失量と許容量との差分の絶対値が閾値βより大きい場合、ＤＣＦユニット１２２に発生した異常の原因をＤＣＦ異常と特定する。
【００５７】
そして、制御部１４０は、例えば、判定部１４２の判定結果を、伝送システム１００Ａの動作を監視するコンピュータ装置等の監視装置に通知する。伝送システム１００Ａの管理者等は、監視装置に通知された判定結果に基づいて、ＤＣＦユニット１２２に発生した異常に対処し、ＤＣＦユニット１２２の動作を正常に復旧させる。
【００５８】
図５は、図２に示した伝送システム１００Ａにおける異常判定処理の一例を示す。図５に示した処理は、伝送装置１１０（１）が伝送装置１１０（２）、１１０（３）との間でデータを伝送する場合を示す。図５に示した処理は、伝送装置１１０（１）−１１０（３）の制御部１４０が記憶部１５０に記憶されたプログラムを実行することにより実現される。なお、図５では、伝送装置１１０（１）−１１０（３）は互いに同一あるいは同様の処理を並列に実行するため、同じステップ番号を付し、伝送装置１１０（１）における処理を説明する。
【００５９】
また、図５に示した処理は、伝送装置１１０（１）に搭載されるハードウェアにより実行されてもよい。この場合、図２に示した算出部１４１および判定部１４２は、伝送装置１１０（１）内に配置される回路により実現される。
【００６０】
また、伝送装置１１０（２）と伝送装置１１０（３）との間でデータを伝送する場合についても、図５に示した処理と同様の処理が実行される。
【００６１】
ステップＳ１００では、ユニット部１２０ａ、１２０ｂのＭＵＸ１２１は、ＩＦ部１１５を介してネットワークあるいはコンピュータ装置等から受信した複数の波長の光信号を、波長分割多重に基づいて多重化し、ＷＤＭ信号を生成する。ユニット部１２０ａ、１２０ｂのＭＵＸ１２１は、生成したＷＤＭ信号を増幅部ＡＭＰ１に出力する。
【００６２】
ステップＳ１１０では、測定部１３０は、ステップＳ１００で生成され増幅部ＡＭＰ１により増幅された各ユニット部１２０ａ、１２０ｂにおける送信時のＷＤＭ信号の強度を測定する。そして、制御部１４０は、測定部１３０により測定されたユニット部１２０ａにおける送信時のＷＤＭ信号の強度を含んだ伝送装置１１０（２）に送信するＯＳＣ信号を生成する。また、制御部１４０は、測定部１３０により測定されたユニット部１２０ｂにおける送信時のＷＤＭ信号の強度を含んだ伝送装置１１０（３）に送信するＯＳＣ信号を生成する。
【００６３】
ステップＳ１２０では、ユニット部１２０ａ、１２０ｂの各々は、伝送路２００ａ、２００ｆを介してＷＤＭ信号およびＯＳＣ信号を伝送装置１１０（２）、１１０（３）にそれぞれ送信する。
【００６４】
ステップＳ１３０では、ユニット部１２０ａ、１２０ｂは、伝送路２００ｂ、２００ｅを介してＷＤＭ信号およびＯＳＣ信号を伝送装置１１０（２）、１１０（３）からそれぞれ受信する。
【００６５】
ステップＳ１４０では、ユニット部１２０ａ、１２０ｂのＤＣＦユニット１２２は、ステップＳ１３０で受信したＷＤＭ信号が伝送路２００ｂ、２００ｅを伝送している間に受けたスペクトルの分散を、設定された分散補償値を用いて補償する。ユニット部１２０ａ、１２０ｂのＤＣＦユニット１２２は、補償したＷＤＭ信号を増幅部ＡＭＰ２および測定部１３０に出力する。
【００６６】
ステップＳ１５０では、測定部１３０は、ステップＳ１４０で分散が補償された各ユニット部１２０ａ、１２０ｂのＷＤＭ信号におけるスペクトルの分布幅および強度を測定する。
【００６７】
ステップＳ１６０では、算出部１４１は、受信したＯＳＣ信号に含まれる送信時のＷＤＭ信号の強度と、ステップＳ１５０で測定されたＷＤＭ信号の分布幅及び強度とを用い、ユニット部１２０ａ、１２０ｂのＤＣＦユニット１２２での補償量と損失量とを算出する。例えば、算出部１４１は、記憶部１５０に記憶された各伝送路２００ｂ、２００ｅの分散情報を用いて、各ユニット部１２０ａ、１２０ｂのＤＣＦユニット１２２に入力される直前のＷＤＭ信号のスペクトルの分布幅を算出する。算出部１４１は、算出したＷＤＭ信号の分布幅と測定部１３０が測定した分散が補償されたＷＤＭ信号の分布幅との差分から、各ユニット部１２０ａ、１２０ｂのＤＣＦユニット１２２における補償量を算出する。
【００６８】
また、算出部１４１は、例えば、測定部１３０が測定した各ユニット部１２０ａ、１２０ｂにおける分散が補償されたＷＤＭ信号の強度と、受信したＯＳＣ信号に含まれる各伝送装置１１０（２）、１１０（３）での送信時のＷＤＭ信号の強度との差分を算出する。算出部１４１は、記憶部１５０に記憶された各伝送路２００ｂ、２００ｅによるＷＤＭ信号の強度に対する減衰量を読み出す。算出部１４１は、算出した各ユニット部１２０ａ、１２０ｂにおける強度の差分から読み出した各伝送路２００ｂ、２００ｅの減衰量を減算し、各ユニット部１２０ａ、１２０ｂのＤＣＦユニット１２２における強度の損失量を算出する。
【００６９】
ステップＳ１７０では、判定部１４２は、ステップＳ１６０で算出された各ユニット部１２０ａ、１２０ｂのＤＣＦユニット１２２における補償量と損失量とを用い、各ユニット部１２０ａ、１２０ｂのＤＣＦユニット１２２に異常が発生しているか否かを判定する。例えば、判定部１４２は、ユニット部１２０ａ、１２０ｂのＤＣＦユニット１２２において、設定された分散補償値と算出された補償量との差分、および設定された減衰の許容量と算出された損失量との差分を算出する。判定部１４２は、算出した補償量と分散補償値との差分の絶対値が閾値αより大きい、あるいは算出した損失量と許容量との差分の絶対値が閾値βより大きい場合、ＤＣＦユニット１２２に異常が発生したと判定する。この場合、伝送装置１１０（１）の処理は、ステップＳ１８０に移る。
【００７０】
一方、判定部１４２は、算出した補償量と分散補償値との差分の絶対値が閾値α以下、かつ算出した損失量と許容量との差分の絶対値が閾値β以下の場合、ユニット部１２０ａ、１２０ｂのＤＣＦユニット１２２に異常が発生していないと判定する。そして、ユニット部１２０ａ、１２０ｂは、増幅部ＡＭＰ２、ＤＥＭＵＸ１２３およびＩＦ部１１５を介して、受信したＷＤＭ信号に含まれるデータを伝送装置１１０（１）に接続されたネットワークあるいはコンピュータ装置等に送信する。この場合、伝送装置１１０（１）の処理は、ステップＳ１００に移る。
【００７１】
ステップＳ１８０では、判定部１４２は、異常テーブル１５１を用いて、ステップＳ１７０で発生した異常を特定する。例えば、判定部１４２は、算出した補償量と分散補償値との差分の絶対値が閾値αより大きく、かつ算出した損失量と許容量との差分の絶対値が閾値β以下の場合、ＤＣＦユニット１２２に発生した異常の原因をＤＣＦ誤接続と特定する。
【００７２】
また、判定部１４２は、算出した補償量と分散補償値との差分の絶対値が閾値α以下、かつ算出した損失量と許容量との差分の絶対値が閾値βより大きい場合、ＤＣＦユニット１２２に発生した異常の原因をコネクタ接続異常と特定する。また、判定部１４２は、算出した補償量と分散補償値との差分の絶対値が閾値αより大きく、かつ算出した損失量と許容量との差分の絶対値が閾値βより大きい場合、ＤＣＦユニット１２２に発生した異常の原因をＤＣＦ異常と特定する。
【００７３】
ステップＳ１９０では、制御部１４０は、判定部１４２の判定結果を、伝送システム１００Ａの監視装置に通知する。伝送システム１００Ａの管理者等は、監視装置に通知された判定結果に基づいて、ＤＣＦユニット１２２に発生した異常に対処し、ＤＣＦユニット１２２の動作を正常に復旧させる。
【００７４】
そして、伝送装置１１０（１）は、ステップＳ１００からステップＳ１９０の処理を繰り返し実行する。なお、伝送装置１１０（１）は、ステップＳ１００からステップＳ１２０の処理とステップＳ１３０からステップＳ１９０の処理を並列に実行してもよい。
【００７５】
以上、図２から図５に示した実施形態では、算出部１４１は、伝送装置１１０での送信時のＷＤＭ信号の強度と、測定部１３０が測定したＷＤＭ信号の分布幅および強度とを用い、ＤＣＦユニット１２２におけるＷＤＭ信号に対する補償量と損失量とを算出する。判定部１４２は、異常テーブル１５１を用い、ＤＣＦユニット１２２の分散補償値と算出された補償量、およびＤＣＦユニット１２２の許容量と算出された損失量とを比較する。これにより、判定部１４２は、ＤＣＦユニット１２２に異常が発生したか否かを判定でき、発生した異常の原因を特定できる。そして、伝送システム１００Ａは、間違った伝送路２００が接続されたＤＣＦユニット１２２または間違った補償値が設定されたＤＣＦユニット１２２を従来と比べて確度高く特定できる。
【００７６】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００７７】
１０，３０，１１０（１）−１１０（３）…伝送装置；１１，３２，１３０…測定部；１２…送信部；２０，２００ａ，２００ｂ，２００ｃ，２００ｄ，２００ｅ，２００ｆ…伝送路；３１…補償部；３３，１４１…算出部；３４，１４２…判定部；１００，１００Ａ…伝送システム；１１５…ＩＦ部；１２０ａ，１２０ｂ…ユニット部；１２１…ＭＵＸ；１２２…ＤＣＦユニット；１２３…ＤＥＭＵＸ；１４０…制御部；１５０…記憶部；１５１…異常テーブル；ＡＭＰ１，ＡＭＰ２…増幅部
【図１】
2017038158.tif 000003
【図２】
2017038158.tif 000004
【図３】
2017038158.tif 000005
【図４】
2017038158.tif 000006
【図５】
2017038158.tif 000007